(57)【要約】      （修正有）【課題】装置のフレームグランドとシグナルグランドを接続するかしないかに関わらず誤動作を防止できる電子装置を提供する。【解決手段】電子装置１０１の装置筐体２０内にフレームグランドＦＧと動作回路３０のシグナルグランドＳＧのアース２００への接続状態を検出する接続状態監視部１１１、１１２と、フレームグランドＦＧと動作回路３０のシグナルグランドＳＧ間の接続状態を監視する接続状態監視部１１０を設け、監視制御部１２１により設定記憶部１３１の設定情報と各々の接続状態を照合し、結果を表示部１４０で表示すると共にログ記憶部１５０に記録する。【選択図】図５
2014115253.tif 000002
【特許請求の範囲】
【請求項１】
フレームグランドとシグナルグランドの接続状態を検出する接続状態監視部と、
前記フレームグランドと前記シグナルグランドの接続設定と前記接続状態を照合し照合情報を出力する監視制御部と
を含む電子装置。
【請求項２】
フレームグランドとアースの接続状態を検出する接続状態監視部と、
シグナルグランドとアースの接続状態を検出する接続状態監視部と
をさらに含み、
前記監視制御部がさらに前記フレームグランドと前記アース、前記シグナルグランドと前記アースの接続設定と前記接続状態を照合する
請求項１記載の電子装置。
【請求項３】
表示部
をさらに含み、
前記監視制御部が前記表示部に前記照合情報を出力し、
前記表示部が前記照合情報を表示する請求項１または２記載の電子装置。
【請求項４】
ログ記憶部と
をさらに含み、
前記監視制御部が前記ログ記憶部に前記接続状態の異常を記憶する請求項１ないし３のいずれかに記載の電子装置。
【請求項５】
接続状態監視部が、フレームグランドとシグナルグランドの接続状態の検出結果情報を監視制御部に出力し、
前記監視制御部が、フレームグランドとシグナルグランドの接続状態の設定情報と前記検出結果情報とを照合する
誤動作防止方法。
【請求項６】
前記接続状態監視部が、さらに前記フレームグランドとアースの接続状態、前記シグナルグランドと前記アースの接続状態の検出結果情報をそれぞれ前記監視制御部に出力し、
さらに前記フレームグランドと前記アース、前記シグナルグランドと前記アースの接続設定と前記接続状態をそれぞれ照合する
請求項５記載の誤動作防止方法。
【請求項７】
前記監視制御部が前記表示部に前記照合情報をそれぞれ出力し、
前記表示部が前記照合情報をそれぞれ表示する請求項５または６記載の誤動作防止方法。
【請求項８】
前記監視制御部が前記ログ記憶部に前記接続状態の異常を記憶する請求項５ないし７のいずれかに記載の誤動作防止方法。
【請求項９】
フレームグランドとシグナルグランドの接続状態の検出結果情報を監視制御部に出力する処理と、
フレームグランドとシグナルグランドの接続状態の設定情報と前記検出結果情報とを照合する処理と
をコンピュータに実行させるプログラム。
【請求項１０】
さらに前記フレームグランドとアースの接続状態、前記シグナルグランドと前記アースの接続状態の検出結果情報をそれぞれ前記監視制御部に出力する処理と、
前記フレームグランドと前記アース、前記シグナルグランドと前記アースの接続設定と前記接続状態をそれぞれ照合する処理と
をコンピュータに実行させる請求項９記載のプログラム。
【発明の詳細な説明】
【技術分野】
【０００１】
本発明は、回路のグランド接続状態を監視する電子装置、誤動作防止方法、及びそのためのプログラムに関する。
【背景技術】
【０００２】
電子機器において、保安（感電防止）や回路の誤作動防止のため、回路のグランド接続状態を監視する電子装置が知られている。この種の電子装置は、安全のために、装置筐体が回路シグナルグランド（以下、単にシグナルグランドとも言う）とともに大地に接地される。しかし、装置筐体が大地に対して接地が不十分である場合、装置筐体が高電位となり、電子装置内の回路にリーク電流が流れ、感電事故を発生させる場合がある。そのため、この種の電子装置は、装置筐体が大地に接地しているか否かを監視する。
【０００３】
装置筐体のグランド状態を監視する端末装置の一例が特許文献１に記載されている。特許文献１に記載された端末装置は、装置筐体と、その筐体に搭載される基本回路を備える。装置筐体の筐体接続部にはクランプダイオードを有する保護回路が接続され、接地不十分の場合のリーク電流をこの保護回路を介してコールド側に流す。また端末装置は、装置筐体が大地に接続されているか否かを制御回路で監視し、その制御回路は装置筐体が大地に接続されていないと判定した場合、基本回路がオンとならないよう端末装置の電源をオフに設定する。
【０００４】
また、特許文献２では、デジタル回路、アナログ回路、パワー回路のグランド配線の接続不良を検知するという技術が開示されている。さらに、特許文献３では、グランド接地はずれを検出した場合、負荷への通電を禁止するという技術が開示されている。
【先行技術文献】
【特許文献】
【０００５】
【特許文献１】特開平５−２１９６４２号公報
【特許文献２】特開２０００−２６８９８５号公報
【特許文献３】特開２０１２−８５４９０号公報
【発明の概要】
【発明が解決しようとする課題】
【０００６】
しかしながら、上述した特許文献１に記載された技術は、装置筐体が大地に接地していない、あるいは接地が不完全の場合に、安全を確保、あるいは、回路素子を保護することを課題としており、装置の設置時に、装置筐体のグランド（フレームグランド）がシグナルグランドに接続されているか否かについては、考察されていない。
【０００７】
一般に、電子装置には、特許文献１のように、安全のために、装置筐体が回路シグナルグランドとともに大地（グランド）に接地される仕様のほかに、フレームグランドはノイズ源となりうるため、回路の動作を正常に保つためにフレームグランドとシグナルグランドを接続しない仕様の電子装置も存在する。
【０００８】
このように、電子装置において、ＳＧ（シグナルグランド）とＦＧ（フレームグランド）の分離・接続は、それぞれの装置仕様によって異なる。したがって、分離か接続を決定した後の装置運用において、ＳＧとＦＧが意図せず分離・接続されると、電子機器の誤動作につながる危険性がある。
【０００９】
これまで、ＳＧとＦＧの分離・接続に関して、製品出荷後の運用では、オペレータが直接テスターで確認する以外に、確認する手段がありませんでした。そのため、意図せずＳＧとＦＧを分離もしくは接続させてしまっても、気づくことがなく運用され、安全が保たれない、あるいは電子装置内の回路において誤動作を引き起こすことがある。
【００１０】
前述した特許文献１乃至３に記載された技術では、これら問題点は解決されない。
【００１１】
本発明の目的の一例は、上述した問題点を解決できる電子装置、誤動作防止方法、及びプログラムを提供することにある。
【課題を解決するための手段】
【００１２】
本発明の一形態における第一の電子装置は、フレームグランドとシグナルグランドの接続状態を検出する接続状態監視部と、前記フレームグランドと前記シグナルグランドの接続設定と前記接続状態を照合し照合情報を出力する監視制御部とを備える。
【００１３】
本発明の一形態における第一の誤動作防止方法は、接続状態監視部が、フレームグランドとシグナルグランドの接続状態の検出結果情報を監視制御部に出力し、前記監視制御部が、フレームグランドとシグナルグランドの接続状態の設定情報と前記検出結果情報とを照合する。
【００１４】
本発明の一形態における第一のプログラムは、コンピュータに、フレームグランドとシグナルグランドの接続状態の検出結果情報を監視制御部に出力する処理と、フレームグランドとシグナルグランドの接続状態の設定情報と前記検出結果情報とを照合する処理とを実行させる。
【発明の効果】
【００１５】
本発明によれば、電子装置の誤動作を防止できるという効果が得られる。
【図面の簡単な説明】
【００１６】
【図１】図１は、本発明の第一の実施の形態における電子装置１００の構成を示すブロック図である。
【図２】図２は、第一の実施の形態における接続状態監視部１１０の一例の回路図を示す図である。
【図３】図３は、本発明の第一の実施の形態における電子装置１００をコンピュータおよびその周辺装置で実現したハードウェア構成を示す図である。
【図４】図４は、第一の実施の形態における電子装置１００のフレームグランド・シグナルグランド接続状態監視動作を示すフローチャートである。
【図５】図５は、本発明の第２の実施の形態における電子装置１０１の構成を示すブロック図である。
【図６】図６は、本発明の第３の実施の形態における電子装置１０２の構成を示すブロック図である。
【発明を実施するための形態】
【００１７】
次に、本発明の実施形態について図面を参照して詳細に説明する。
【００１８】
［第１の実施の形態］
図１は、本発明の第１の実施の形態における電子装置１００の構成を示すブロック図である。図１を参照すると、電子装置１００は、接続状態監視部１１０と監視制御部１２０と設定記憶部１３０と表示部１４０とログ記憶部１５０、を備える。
【００１９】
次に、第１の実施の形態における電子装置１００の構成について説明する。
【００２０】
接続状態監視部１１０は、２端子の間を接続する回路または配線を含み、その端子間の接続状態（接続された状態にあるか遮断された状態にあるか）を検出し、監視制御部１２０に検出結果情報を出力する。この実施形態における２端子とは、電子装置１００の装置筐体２０に接続されたフレームグランド（ＦＧ）と、電子装置１００の本来の処理を行う動作回路３０のシグナルグランド（ＳＧ）のことである。フレームグランド（ＦＧ）とは、装置筐体２０を介して大地にアース（接地）されることであり、シグナルグランド（ＳＧ）とは、動作回路３０を実装している回路基板の信号戻り線（グランド配線）に接続されることである。
【００２１】
監視制御部１２０は、設定記憶部１３０に記憶されている設定情報を読み込み、接続状態監視部１１０から入力される検出結果情報と設定情報を照合し、不一致または一致を示す照合情報を表示部１４０に出力する。さらに監視制御部１２０は、不一致の場合に、異常が生じた状態としてログ情報をログ記憶部１５０に出力する。これにより、不具合発生時に、ログ情報ＳＧとＦＧの接続がどうであったかを確認することができる。
【００２２】
設定記憶部１３０は、接続状態監視部１１０が接続する２端子（本実施形態ではフレームグランドとシグナルグランド）が、常に接続しておく必要があるか常に遮断しておく必要があるかの設定を記憶する。
【００２３】
表示部１４０は、監視制御部１２０から入力される照合情報を表示する。ログ記憶部１５０は、監視制御部１２０から入力されるログ情報を記憶する。
【００２４】
なお、本実施の形態において、設定記憶部１３０は監視制御部１２０の機能に含まれていても良い。また、表示部１４０およびログ記憶部１５０は、本発明にとって必須の構成ではないが、監視制御部１２０の照合結果のユーザによる確認と異常状態の経過の追跡のために、設けたものである。表示部の代わりに、音声で照合情報を通知する音声出力回路を設けても良い。
【００２５】
図２は接続状態監視部１１０の一例を示す回路図である。図２を参照すると、接続状態監視部１１０は、電源１１と、負荷１２と、スイッチ１３とを含む回路である。
さらに接続状態監視部１１０において、この回路に直列に電流検知部１６が、負荷１２に並列に電圧検知部１７が接続され、電流検知部１６と電圧検知部１７の出力は検出部１８に接続されている。ここで図２において電流検知部１６と電圧検知部１７の両方が使用されているが、どちらか一方だけでも構わない。
【００２６】
スイッチ１３は、端子１４と端子１５の接続状態を等価的に表したもので、実際には存在しないものである。端子１４は、フレームグランド（ＦＧ）に接続され、端子１５は、シグナルグランド（ＳＧ）に接続される。端子１４と１５が接続された状態にある場合は、スイッチ１３は閉じられた状態と等価で、接続状態監視部１１０は閉回路となり、電流が流れる。端子１４と１５が遮断された状態にある場合は、スイッチ１３は開かれた状態と等価で、接続状態監視部１１０は開回路となるため、電流は流れない。
【００２７】
電流検知部１６と電圧検知部１７は、例えば電流計や電圧計やフォトカプラやオペアンプで構成され、接続状態監視部１１０に電流が流れているか（負荷１２の両端間に電位差が発生しているか）どうかを検知する。
【００２８】
検出部１８は、電流検知部１６と電圧検知部１７のどちらか一方もしくは両方を監視し、端子１９に現在の検出結果情報を出力する。検出結果情報とは端子１４と端子１５の接続状態の情報であり、前述の通り、接続状態監視部１１０に電流が流れていれば端子１４と端子１５は接続された状態であり、電流が流れていなければ、端子１４と端子１５は遮断された状態である。
【００２９】
図３は、本発明の第一の実施の形態における電子装置１００をコンピュータおよびその周辺装置で実現したハードウェア構成を示す図である。図３に示されるように、電子装置１００は、ＣＰＵ４０、出力装置４１、入力装置４２、主記憶装置４３、二次記憶装置４４を含む。
【００３０】
ＣＰＵ４０は、オペレーティングシステムを動作させて本発明の第一の実施の形態に係る電子装置１００の全体を制御する。また、ＣＰＵ４０は、例えば二次記憶装置１５から主記憶装置１４にプログラムやデータを読み出す。そして、ＣＰＵ４０は、第一の実施の形態における監視制御部１２０として機能し、プログラム制御に基づいて各種の処理を実行する。なお、前述の接続状態監視部１１０をＣＰＵ４０で構成しても良い。
【００３１】
出力装置４１は、例えばディスプレイ、ＬＥＤなどで実現され、第一の実施の形態における表示部１４０として機能する。
【００３２】
入力装置４２は、例えばマウスやキーボード、内蔵のキーボタンなどで実現され、入力操作に用いられる。入力装置４２は、マウスやキーボード、内蔵のキーボタンに限らず、例えばタッチパネルでもよい。
【００３３】
二次記憶装置４４は、例えば光ディスク、フレキシブルディスク、磁気光ディスク、外付けハードディスク、または半導体メモリ等であって、コンピュータプログラムをコンピュータ読み取り可能に記録する。また、コンピュータプログラムは、通信網に接続されている図示しない外部コンピュータからダウンロードされてもよい。また、二次記憶装置４４は、第一の実施の形態における設定記憶部１３０、ログ記憶部１５０として機能する。
【００３４】
なお、第一の実施の形態の説明において利用されるブロック図（図１）には、ハードウェア単位の構成ではなく、機能単位のブロックが示されている。これらの機能ブロックは図３に示されるハードウェア構成によって実現される。ただし、電子装置１００が備える各部の実現手段は特に限定されない。すなわち、電子装置１００は、物理的に結合した一つの装置により実現されてもよいし、物理的に分離した二つ以上の装置を有線または無線で接続し、これら複数の装置により実現されてもよい。
【００３５】
また、ＣＰＵ４０は、二次記憶装置４４に記録されているコンピュータプログラムを読み込み、そのプログラムにしたがって、接続状態監視部１１０および監視制御部１２０として動作してもよい。
【００３６】
また、前述のプログラムのコードを記録した記録媒体（または記憶媒体）が、電子装置１００に供給され、電子装置１００が記録媒体に格納されたプログラムのコードを読み出し実行してもよい。すなわち、本発明は、第一の実施の形態における電子装置１００が実行するためのソフトウェア（接続状態監視プログラム）を一時的に記憶するまたは非一時的に記憶する二次記憶装置４４も含む。
【００３７】
次に、電子装置１００のフレームグランド・シグナルグランド接続状態監視動作について図４に示すフローチャートを参照して説明する。実際は以降説明するフレームグランド・シグナルグランド接続状態監視動作を継続して一定時間おきに実行する必要があるが、その実行周期は電子装置１００の管理者が適宜決定してよい。
【００３８】
まず、接続状態監視部１１０は、フレームグランドとシグナルグランドの接続状態の検出結果情報を監視制御部１２０に出力する（ステップＳ１０１）。
【００３９】
次に、監視制御部１２０は、設定記憶部１３０に記憶されているフレームグランドとシグナルグランドの接続状態の設定情報を読み込む（ステップＳ１０２）。
【００４０】
次に、監視制御部１２０は、ステップＳ１０１で入力された検出結果情報と、ステップＳ１０２で読み込んだ設定情報を照合する（ステップＳ１０３）。もし合致していれば（ステップＳ１０３でＹＥＳ）、そのまま動作を終了する。合致していなければ（ステップＳ１０３でＮＯ）、監視制御部１２０は、表示部１４０に照合情報を、またログ記憶部１５０にログ情報を出力する（ステップＳ１０４）。なお、監視制御部１２０は、合致した場合にも、照合情報を表示部１４０に出力しても良い。
【００４１】
次に、表示部１４０は、入力される検出結果情報を出力する（ステップＳ１０５）。
【００４２】
次に、ログ記憶部１５０は、入力されるログ情報を記憶する。（ステップＳ１０６）。
【００４３】
以上で電子装置１００のフレームグランド・シグナルグランド接続状態監視動作を終了する。
【００４４】
次に、本発明の第１の実施の形態の効果について説明する。
【００４５】
上述した本実施形態における電子装置１００は、電子装置の誤動作を防止できる。
【００４６】
その理由は、以下のような構成を含むからである。即ち、フレームグランドとシグナルグランドを常に接続しておく必要がある回路については、シグナルグランドをフレームグランドと同じ電位（ゼロ電位）に維持することが目的なので、フレームグランドとシグナルグランドが接続されていない場合、動作回路３０は、シグナルグランドをゼロ電位に維持できず、動作回路３０全体の電位が上昇する可能性がある。動作回路３０で使用している半導体素子の動作電圧の上限を超過するまで電位が上昇した場合、半導体素子は破壊され、あるいは誤動作を引き起こす可能性がある。
【００４７】
一方で、フレームグランドとシグナルグランドを常に遮断しておく必要がある回路については、フレームグランドは巨大なノイズが入る可能性があるため、フレームグランドとシグナルグランドが接続されている場合、フレームグランドからシグナルグランドを経由して動作回路３０に巨大なノイズが伝搬される可能性がある。この場合も、半導体素子は破壊され、あるいは誤動作を引き起こす可能性がある。
【００４８】
以上のように、電子装置１００がフレームグランドとシグナルグランドを常に接続しておく必要があるか常に遮断しておく必要があるかは、電子装置１００の安定動作のためには重要な要素である。本実施形態における電子装置１００は、監視制御部１２０に接続状態監視部１１０の通電状態が通知されることで、フレームグランドとシグナルグランドの接続状態が監視できる。その結果、ユーザが誤った接続状態で装置を運用することが回避でき、電子装置の誤動作を防止できるという効果が得られる。
【００４９】
［第２の実施形態］
次に、本発明の第２の実施形態について図面を参照して詳細に説明する。以下、本実施形態の説明が不明確にならない範囲で、前述の説明と重複する内容については説明を省略する。
【００５０】
図５は、本発明の第２の実施の形態における電子装置１０１の構成を示すブロック図である。
【００５１】
図５を参照すると、本実施形態における電子装置１０１は、第１の実施形態のそれと比べて、監視制御部１２０、設定記憶部１３０の代わりに一部機能の異なる監視制御部１２１、設定記憶部１３１を、また追加して接続状態監視部１１１、接続状態監視部１１２を備える。
【００５２】
接続状態監視部１１１と接続状態監視部１１２は、接続状態監視部１１０と同じ構成とし、接続状態監視部１１１はフレームグランド（ＦＧ）とアース２００の２端子間の接続状態を、接続状態監視部１１２はシグナルグランド（ＳＧ）とアース２００の２端子間の接続状態を検出し、監視制御部１２１にそれぞれの検出結果情報を出力する。
【００５３】
設定記憶部１３１は、第１の実施形態の設定記憶部１３０の機能に加えて、接続状態監視部１１１および接続状態監視部１１２が接続する２端子、すなわちフレームグランド（ＦＧ）とアース２００、シグナルグランド（ＳＧ）とアース２００が、常に接続しておく必要があるか常に遮断しておく必要があるかの設定もまた記憶する。
【００５４】
監視制御部１２１は、第１の実施形態の監視制御部１２０の機能に加えて、接続状態監視部１１１および接続状態監視部１１２から入力される検出結果情報と設定情報とを照合する機能を有する。そして、監視制御部１２１は、照合の結果、１つでも不一致であれば表示部１４０にそれぞれの照合情報を表示し、さらにログ記憶部１５０にそれぞれのログ情報を出力する。
【００５５】
接続状態監視部１１１による電子装置１０１のフレームグランド・アース接続状態監視動作、接続状態監視部１１２による電子装置１０１のシグナルグランド・アース接続状態監視動作は、第１の実施の形態の接続状態監視部１１０による電子装置１００のフレームグランド・シグナルグランド接続状態監視動作と同じとする。
【００５６】
次に、本発明の第２の実施の形態の効果について説明する。
【００５７】
上述した本実施形態における電子装置１０１は、第１の実施の形態よりも更に電子装置の誤動作を防止できる。
【００５８】
その理由は、以下のような構成を含むからである。即ち、第１に接続状態監視部１１１、接続状態監視部１１２によって、電子装置１０１は、第１の実施の形態におけるフレームグランド・シグナルグランド接続状態監視動作に加えて、フレームグランドとアース間の接続状態、シグナルグランドとアース間の接続状態も監視することができる。したがって、フレームグランドおよびシグナルグランドがそれぞれアースと同電位（ゼロ電位）であるかを監視できるので、第１の実施の形態よりも更に電子装置の誤動作を防止できるという効果が得られる。
【００５９】
［第３の実施形態］
次に、本発明の第３の実施形態について、具体的に規格策定団体ＰＩＣＭＧ（ＰＣＩ  Ｉｎｄｕｓｔｒｉａｌ  Ｃｏｍｐｕｔｅｒ  Ｍａｎｕｆａｃｔｕｒｅｓ  Ｇｒｏｕｐ）によって規格仕様が決められているＡｄｖａｎｃｅｄ  Ｔｅｌｅｃｏｍ  Ｃｏｍｐｕｔｉｎｇ  Ａｒｃｈｉｔｅｃｔｕｒｅ（ａＴＣＡ）規格に従って実現した一例を、図面を参照して詳細に説明する。以下、本実施形態の説明が不明確にならない範囲で、前述の説明と重複する内容については説明を省略する。
【００６０】
図６は、本発明の第３の実施の形態における電子装置１０２の構成を示すブロック図である。
【００６１】
図６を参照すると、本実施形態における電子装置１０２は、第１の実施形態のそれと比べて、装置筐体２０を二つ並べた状態となっており、一つはａＴＣＡ筐体２１、もう一つはＳＢＣ（Ｓｉｎｇｌｅ  Ｂｏａｒｄ  Ｃｏｍｐｕｔｉｎｇ）２２とする。実際にはａＴＣＡ筐体２１の中のブレードの一枚としてＳＢＣ２２が装着される形態となってもよい。また、ａＴＣＡ筐体２１、ＳＢＣ２２は、それぞれシグナルグランドのみ示し、動作回路３０は省略する。ＰＩＣＭＧのａＴＣＡ規格では、シグナルグランドとフレームグランドを９ＭΩ以上で分離することが規定されているため、設定記憶部１３０は図６では省略するが、省略せず９ＭΩ以上で分離する旨の設定を記憶する設定記憶部１３０として存在してもよい。
【００６２】
第１の実施形態における監視制御部１２０は、それぞれａＴＣＡ筐体２１におけるＣＭＭ（Ｃｈａｓｓｉｓ  Ｍａｎａｇｅｍｅｎｔ  Ｍｏｄｕｌｅ）１２２、ＳＢＣ２２におけるＢＭＣ（Ｂａｓｅｂｏａｒｄ  Ｍａｎａｇｅｍｅｎｔ  Ｃｏｎｔｒｏｌ）１２３とし、ＣＭＭ１２２とＢＭＣ１２３は互いに接続されている（互いを接続しているバスをＩＰＭＢ（Ｉｎｔｅｌｌｉｇｅｎｔ  Ｐｌａｔｆｏｒｍ  Ｍａｎａｇｅｍｅｎｔ  Ｂｕｓ）と呼ぶ）。また、表示部１４０はａＴＣＡ筐体２１、ＳＢＣ２２双方ともＬＥＤ１４１に置換わっている。
【００６３】
接続状態監視部１１０は、ａＴＣＡ筐体２１とＳＢＣ２２それぞれのフレームグランドとシグナルグランドの接続状態を監視し、異常状態（シグナルグランドとフレームグランドが９ＭΩ以上で分離されていない状態）を検知した場合、それぞれＣＭＭ１２２またはＢＭＣ１２３に検出情報を出力し、ＣＭＭ１２２またはＢＭＣ１２３は、ＬＥＤ１４１を点灯し、ログ記憶部１５０にログを記憶する。この実施形態において、ログ記憶部１５０に記憶されるログは、ＳＥＬ（Ｓｙｓｔｅｍ  Ｅｖｅｎｔ  Ｌｏｇ）と呼ばれる。また、ＣＭＭ１２２とＢＭＣ１２３は互いにＩＰＭＢにより通信を行い、検出情報を共有し、ＳＢＣ２２での異常状態は、ａＴＣＡ筐体２１でもＬＥＤ１４１点灯とログ記憶部１５０へのログ記憶を生じさせる。
【００６４】
以上説明した、本発明の各実施形態における各構成要素は、その機能をハードウェア的に実現することはもちろん、プログラム制御に基づくコンピュータ装置、ファームウェアで実現することができる。プログラムは、磁気ディスクや半導体メモリなどのコンピュータ可読記録媒体に記録されて提供され、コンピュータの立ち上げ時などにコンピュータに読み取られる。この読み取られたプログラムは、そのコンピュータの動作を制御することにより、そのコンピュータを前述した各実施の形態における構成要素として機能させる。
【００６５】
以上、各実施の形態を参照して本発明を説明したが、本発明は上記実施の形態に限定されるものではない。本発明の構成や詳細には、本発明のスコープ内で当業者が理解しえる様々な変更をすることができる。
【００６６】
たとえば、以上の各実施形態で説明した各構成要素は、必ずしも個々に独立した存在である必要はない。例えば、各構成要素は、複数の構成要素が１個のモジュールとして実現されたり、一つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【００６７】
また、以上説明した各実施形態では、複数の動作をフローチャートの形式で順番に記載してあるが、その記載の順番は複数の動作を実行する順番を限定するものではない。このため、各実施形態を実施するときには、その複数の動作の順番は内容的に支障しない範囲で変更することができる。
【００６８】
さらに、以上説明した各実施形態では、複数の動作は個々に相違するタイミングで実行されることに限定されない。例えば、ある動作の実行中に他の動作が発生したり、ある動作と他の動作との実行タイミングが部分的に乃至全部において重複していたりしていてもよい。
【００６９】
さらに、以上説明した各実施形態では、ある動作が他の動作の契機になるように記載しているが、その記載はある動作と他の動作の全ての関係を限定するものではない。このため、各実施形態を実施するときには、その複数の動作の関係は内容的に支障のない範囲で変更することができる。また各構成要素の各動作の具体的な記載は、各構成要素の各動作を限定するものではない。このため、各構成要素の具体的な各動作は、各実施形態を実施する上で機能的、性能的、その他の特性に対して支障をきたさない範囲内で変更されて良い。
【符号の説明】
【００７０】
１１    電源
１２    負荷
１３    スイッチ
１４、１５、１９    端子
１６    電流検知部
１７    電圧検知部
１８    検出部
２０    装置筐体
２１    ａＴＣＡ筐体
２２    ＳＢＣ
３０    動作回路
４０    ＣＰＵ
４１    出力装置
４２    入力装置
４３    主記憶装置
４４    二次記憶装置
１００、１０１、１０２    電子装置
１１０、１１１、１１２    接続状態監視部
１２０、１２１    監視制御部
１２２    ＣＭＭ
１２３    ＢＭＣ
１３０、１３１    設定記憶部
１４０    表示部
１４１    ＬＥＤ
１５０    ログ記憶部
２００    アース
【図１】
2014115253.tif 000003
【図２】
2014115253.tif 000004
【図３】
2014115253.tif 000005
【図４】
2014115253.tif 000006
【図５】
2014115253.tif 000007
【図６】
2014115253.tif 000008